(57)【要約】【課題】粉塵を効率的に吸引することのできる研磨工具を提供すること。【解決手段】通気性を有するアクリル樹脂製の研磨材２とを有する被切削物接触面と、被切削物接触面の表面に付されたメッシュ状サンドペーパ３と、被切削物接触面の裏面側に設けられ吸引装置５が接続された空洞部４とを備えることを特徴とする、研磨工具１を提供する。研磨剤２の厚みを調整してクッション性と吸引効率とを保つことができる。また、、吸引装置を充電式の掃除機として、移動しつつ研磨することを容易にする。【選択図】図１
0003192118.tif 000002
【実用新案登録請求の範囲】
【請求項１】
通気性を有するアクリル樹脂製の研磨材を有する長方形状の被切削物接触面と、
前記被切削物接触面の表面に付されたメッシュ状サンドペーパと、
前記被切削物接触面の裏面側に設けられ、吸引装置が接続された空洞部とを備えることを特徴とする、研磨工具。
【請求項２】
前記研磨材の厚みが３ｍｍ以上５ｍｍ以下であることを特徴とする、請求項１に記載の研磨工具。
【請求項３】
前記吸引装置が充電式の掃除機であることを特徴とする、請求項１又は２に記載の研磨工具。
【考案の詳細な説明】
【技術分野】
【０００１】
本考案は、研磨によって発生する粉塵を吸引し、工事現場の環境を改善する研磨工具に関する。
【背景技術】
【０００２】
建築工事においては、壁面、天井面等にやすり掛けその他の研磨をする。研磨をすれば被切削物の粉塵が発生するが、以下の２点で問題となる。（１）発生した粉塵を残しておくことができないので、工事後に清掃を行わなければならない。粉塵が壁面等に付着してしまっている場合、狭い部分に流入してしまっている場合等において、清掃の手間が大きい。（２）微細な粉塵を作業員が吸入してしまうので、健康に悪影響を与え得る。
【０００３】
上記の問題に対応するものとして、特許文献１には切削面の裏側から粉塵を吸引器具で吸引する網状やすりが開示されている。
【０００４】
しかし、特許文献１に開示された網状やすりでは粉塵を十分に吸引することができない。（１）切削直後の粉塵の一部は、網やすりの網目から裏面に向く方向以外の方向に飛散する。（２）網やすりの端部において発生した粉塵の一部は、網やすりの網目でなく網やすりの外側に飛散する。上記（１）（２）の飛散後の粉塵を吸引することができないためである。
【０００５】
また、特許文献１に開示された網状やすりは、「網状」に構成するため、平面に押し当てて研磨を行う際のクッション性に乏しい。
【先行技術文献】
【特許文献】
【０００６】
【特許文献１】実開平６−０６６９２３号公報
【考案の概要】
【考案が解決しようとする課題】
【０００７】
本考案は、粉塵を効率的に吸引することのできる研磨工具を提供することを課題とする。
【課題を解決するための手段】
【０００８】
用途が決まれば、粉塵の飛散方向が予測できる。用途に合わせて研磨工具の形状を設計することで、粉塵の吸引効率を高め、課題を解決する。本考案は、壁面、天井面等の平面を研磨する用途のためのものである。
【０００９】
本考案の研磨工具は、
通気性を有するアクリル樹脂製の研磨材を有する長方形状の被切削物接触面と、
前記被切削物接触面の表面に付されたメッシュ状サンドペーパと、
前記被切削物接触面の裏面側に設けられ、吸引装置が接続された空洞部とを備えることを特徴とする。
【００１０】  アクリル樹脂製の研磨材（（公序良俗違反につき、不掲載）と呼ばれるスポンジ研磨材）はクッション性を有しており、研磨の際に使いやすい。また、被研磨面に押し当てられて粉塵の飛散を防止する。【００１１】
本考案の研磨工具は、
前記研磨材の厚みが３ｍｍ以上５ｍｍ以下であることを特徴とする。
【００１２】
適宜なクッション性と通気性を保つ。
【００１３】
本考案の研磨工具は、
前記吸引装置が充電式の掃除機であることを特徴とする。
【００１４】
充電式の掃除機を例えば作業員の背中に保持することで、移動しながら研磨することが容易になる。
【考案の効果】
【００１５】
本考案によれば、粉塵を効率的に吸引することのできる研磨工具を提供することができる。
【図面の簡単な説明】
【００１６】
【図１】図１は、研磨工具を示す図である。
【図２】図２は、研磨材及びメッシュ状サンドペーパを示す図である。
【考案を実施するための形態】
【００１７】
図１は、研磨工具を示す図である。研磨工具１のボックス内は空洞部４であり、空洞部４の開口面（図において下側）は研磨材２で覆われている。研磨材２の表面にはメッシュ状のメッシュ状サンドペーパ３が付されている。研磨材２は、粗目のアクリル樹脂であり、通気性を有する。また、クッション性を有する。研磨材２とメッシュ状サンドペーパ３とに通気性があり、空洞部４の開口面はボックスの内外で空気が流通する。
【００１８】
吸引装置５のホース５１がボックスの上方に接続されている。吸引装置５は充電式の掃除機である。吸引装置５が空洞部４の空気を吸引し、研磨材２とメッシュ状サンドペーパ３を超して空洞外の空気も吸引される。この結果、研磨によって発生した粉塵が吸引される。
【００１９】
研磨工具１には、ベルト６が設けられている。
【００２０】
図２は、研磨材及びメッシュ状サンドペーパを示す図である。（Ａ）は図１における下方から見た図である。研磨材２はボックスに接着されている。研磨材２とサンドペーパ３とは、面ファスナ７によって接合されている。なお、接着及び面ファスナについては、他の方法であってもよい。
【００２１】
（Ｂ）は側方から見た断面図である。研磨材２の厚みＴは４ｍｍである。適宜なクッション性と通気性を保つため、３ｍｍ〜５ｍｍであることが好ましい。
【００２２】
以下、研磨工具１の使用について説明する。
【００２３】
壁面、天井面等の平面を研磨する場合、研磨する領域が広範であることが多い。そこで、充電式の掃除機である吸引装置５を充電し、作業員が背負う。ホース５１を長くする必要がなく、また、吸引装置の電源ケーブルが作業の邪魔とならない。
【００２４】
作業員は、吸引装置５の電源をオンにし、ベルト６とボックスとの間に掌を挿入し、研磨材２とメッシュ状サンドペーパ３とを研磨対象面に当接させて研磨作業を行う。研磨材２のクッション性により、メッシュ状サンドペーパ３が確実に研磨対象面に当接され、作業員の掌への応力が緩和される。
【００２５】
研磨によって発生した粉塵は、空洞部４に吸引される。この際、研磨材２のクッション性により研磨材２が研磨対象面に密着しており、粉塵の拡散が防止されている。
【００２６】
メッシュ状サンドペーパ３による研磨（粗凹凸の除去を含む）及び研磨材２による仕上げ細研磨が行われ、効率的な研磨が行われる。
【００２７】
以上詳細に説明したように、本考案の研磨工具は、研磨剤２によって粉塵の拡散が防止され、粉塵を効率的に吸引することができる。
【産業上の利用可能性】
【００２８】
粉塵を効率的に吸引することのできる研磨工具であり、工事後の清掃が軽減され作業員の健康に貢献するものである。多くの建築施工業者による利用が考えられる。
【符号の説明】
【００２９】
１    研磨工具
２    研磨材
３    メッシュ状サンドペーパ
４    空洞部
５    吸引装置
５１  ホース
６    ベルト
７    面ファスナ
【図１】
0003192118.tif 000003
【図２】
0003192118.tif 000004
【手続補正書】
【提出日】平成26年5月26日(2014.5.26)
【手続補正１】
【補正対象書類名】明細書
【補正対象項目名】００１０
【補正方法】変更
【補正の内容】
【００１０】
アクリル樹脂製の研磨材（スポンジ状の研磨材）はクッション性を有しており、研磨の際に使いやすい。また、被研磨面に押し当てられて粉塵の飛散を防止する。